【事件の表示】
　平成　９年特許願第８４３６０号「パチンコ遊技機」拒絶査定に対する審判事件［平成１０年９月２９日出願公開、特開平１０−２５８１６４］について、次のとおり審決する。
【結　論】
　
　本件審判の請求は、成り立たない。
【理　由】
　
一．手続の経緯
　
　本願は、平成９年３月１７日の出願であって、平成１３年２月２１日付けで拒絶査定がなされ、これに対し、同年３月２１日に拒絶査定に対する審判請求がなされるとともに、同年４月１０日付けで手続補正がなされたものである。
　
　
二．平成１３年４月１０日付けの手続補正についての補正却下の決定
　
［補正却下の決定の結論］
　
　平成１３年４月１０日付けの手続補正を却下する。
　
［理由］
　
１．補正後の本願発明
　
　平成１３年４月１０日付け手続補正により、特許請求の範囲の請求項１は、
「遊技盤面に単一の図柄の図柄変動に係る普通図柄表示装置と、該普通図柄表示装置が所定の表示図柄を呈示したとき開放される可変入賞装置と、該可変入賞装置への遊技球の入賞により複数の図柄の図柄変動が起動される特別図柄表示装置とを有し、普通図柄表示装置における所定の表示態様の図柄の出現確率を設定する特定図柄出現確率設定手段と、特別図柄表示装置における各図柄の変動開始から変動の停止確定に至る迄の図柄変動時間を切り替える変動時間切替手段と、前記特定図柄出現確率設定手段により設定される出現確率が高く設定されたことに起因して前記変動時間切替手段による図柄変動時間を短い状態に切り替え制御する制御手段とを備えたことを特徴とするパチンコ遊技機。」
と補正された。
　
　上記補正は、
（ア）補正前（平成１２年１１月２９日付け手続補正により補正された特許請求の範囲）の請求項１に記載した発明を特定するために必要な事項（以下、「発明特定事項」という）である「複数の図柄の組合せにより遊技者に所定の利益を付与する特別図柄表示装置と単一の図柄の表示態様により遊技者に所定の利益を付与する普通図柄表示装置とを有し」について、当該普通図柄表示装置と特別図柄表示装置の動作上の関係を可変入賞装置を介してさらに特定して、「単一の図柄の図柄変動に係る普通図柄表示装置と、該普通図柄表示装置が所定の表示図柄を呈示したとき開放される可変入賞装置と、該可変入賞装置への遊技球の入賞により複数の図柄の図柄変動が起動される特別図柄表示装置とを有し」と限定し、
（イ）　補正前の発明特定事項である「普通図柄表示装置」と「特別図柄表示装置」、さらに、「可変入賞装置」について、これらを「遊技盤面に」あるものと限定し、
（ウ）　また、補正前の発明特定事項である「特定図柄出現確率設定手段により設定される出現確率が高く設定された場合には前記変動時間切替手段による図柄変動時間を短い状態に切り替え制御する」について、「場合には」とあったのを「起因して」と限定するもの
　であって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
２．引用例に記載された発明
　
　原査定の拒絶の理由に引用された、本願の出願の日前である平成８年１２月３日に頒布された特開平８―３１８０３８号公報（以下、「第１引用例」という。）には、図面とともに、次の事項が記載されている。
　
（ａ）　「このパチンコ遊技機は上記のように構成されていて、遊技制御装置２０により、概ね次のような遊技制御が行われる。
　遊技中、遊技球が普通図柄始動口６ｄに入賞したとき（又は入賞記憶があるとき）には、その入賞（又は入賞記憶）に基づいて補助可変表示装置８による補助可変表示ゲームが行われる。この補助可変表示ゲームは、補助可変表示装置８の前面表示部に表示される数字（例えば、「１」，「３」，「５」，「７」，「９」の数字）等の識別表示が所定時間循環変動されて後停止され、その停止された識別表示態様が所定の結果態様（例えば、「７」）になっていれば、補助変動入賞装置７の開閉部材７ａ，７ａを所定の開放パターン（例えば、開放時間や開閉回数などの開放パターンを含む。）で開放させるゲームである。
　一方、補助変動入賞装置７が開放されていると否とに拘わらず、補助変動入賞装置７（特別図柄の始動口を兼ねている。）に入賞したとき（又は入賞記憶があるとき）は、その入賞（又は入賞記憶）に基づいて、可変表示装置５による可変表示ゲームが行われる。この可変表示ゲームは、可変表示装置５の可変表示部５ａの左、中、右にそれぞれ表示される数字（例えば、「０」〜「９」）およびアルファベット（例えば、「Ａ」〜「Ｅ」）等の識別表示が所定時間変動されて後停止され、その停止された識別表示の結果態様が所定の態様（例えば、「１，１，１」、「２，２，２」、「３，３，３」などのぞろめ）になったときに大当たり（特別遊技態様）が発生して変動入賞装置６の開閉扉６ａが所定の開放パターンで開放されるゲームである。」（第７欄第２５行−第８欄第３行）
（ｂ）　「可変表示装置５の可変表示ゲーム結果が所定の結果態様（例えば、「３，３，３」又は「７，７，７」）となったときに、補助変動入賞装置７の開放時間を通常の短い開放時間（例えば、０．５秒間）から長い開放時間（例えば、２秒間）に変更させたり、補助可変表示装置８の補助可変表示ゲームの通常時の長い変動時間（例えば、３０秒間）を短い変動時間（例えば、５秒間）に変更させたりする。」（第８欄第１９−２６行）
（ｃ）　「また、可変表示装置５の可変表示ゲーム結果が所定の結果態様（例えば、「１，１，１」、「３，３，３」「５，５，５」又は「７，７，７」）となったときに、可変表示装置５の可変表示ゲーム結果が大当たり（特別遊技態様）を発生させる確率が通常の確率（例えば、１／２５０）から高確率（例えば、１／２５）に変換される。」（第８欄第３４−４０行）
（ｄ）　「また、上記実施例において、可変表示装置５の可変表示ゲームの結果態様への補助変動入賞装置７の開放パターンの関連付けの例を各種示したが、それに限定せず、可変表示ゲーム結果がどのようになったときに補助可変表示ゲームの作動時間を変えてもよいし、また補助変動入賞装置７の開放パターンを変化させるようにしてもよい。」（第１２欄第５−１１行）
　
　この記載事項によると、第１引用例には、
「「１」，「３」，「５」，「７」，「９」等の識別表示が所定時間循環変動されて後停止表示される前面表示部を有した補助可変表示装置と、当該補助可変表示装置の停止された識別表示態様が所定の結果態様のときに開放される補助変動入賞装置と、当該補助変動入賞装置に入賞したときに、数字およびアルファベット等の識別表示がそれぞれ所定時間変動されて後停止表示される左、中、右の表示部分を有した可変表示装置と、遊技制御装置とを有したパチンコ遊技機であって、前記遊技制御装置は、可変表示装置の大当たり発生確率を通常確率から高確率に変換する制御、及び、補助可変表示装置の変動時間を短い変動時間に変更させる制御を行うものであり、また、可変表示装置の停止された識別表示の結果態様が所定の態様になったときに大当たりが発生して変動入賞装置が開放されるように構成されているパチンコ遊技機」
　の発明（以下、「引用発明」という。）が記載されていると認められる。
　
３．対比
　
　本願補正発明と引用発明とを比較すると、
（１）　引用発明の「「１」，「３」，「５」，「７」，「９」等の識別表示が所定時間循環変動されて後停止表示される前面表示部を有した補助可変表示装置」は、本願補正発明の「単一の図柄の図柄変動に係る普通図柄表示装置」に相当する。
（２）　引用発明の「補助可変表示装置の停止された識別表示態様が所定の結果態様のときに開放される補助変動入賞装置」は、本願補正発明の「普通図柄表示装置が所定の表示図柄を呈示したとき開放される可変入賞装置」に相当する。
（３）　引用発明の「補助変動入賞装置に入賞したときに数字およびアルファベット等の識別表示がそれぞれ所定時間変動されて後停止表示される左、中、右の表示部分を有した可変表示装置」は、本願補正発明の「可変入賞装置への遊技球の入賞により複数の図柄の図柄変動が起動される特別図柄表示装置」に相当する。
（４）　引用発明における「補助可変表示装置」、「補助変動入賞装置」、「可変表示装置」が、本願補正発明と同様に「遊技盤面に」設けられていることは明らかである。
（５）　引用発明において遊技制御装置は「大当たり発生確率を通常確率から高確率に変換する制御」を行っているから、本願補正発明の「所定の表示態様の図柄の出現確率を設定する特定図柄出現確率設定手段」に相当する。
（６）　また、引用発明において遊技制御装置は「変動時間を短い変動時間に変更させる制御」をも行っており、本願補正発明の「各図柄の変動開始から変動の停止確定に至る迄の図柄変動時間を切り替える変動時間切替手段」にも相当する。
　
　したがって、本願補正発明と引用発明とは、
「遊技盤面に単一の図柄の図柄変動に係る普通図柄表示装置と、該普通図柄表示装置が所定の表示図柄を呈示したとき開放される可変入賞装置と、該可変入賞装置への遊技球の入賞により複数の図柄の図柄変動が起動される特別図柄表示装置とを有し、所定の表示態様の図柄の出現確率を設定する特定図柄出現確率設定手段と、図柄の変動開始から変動の停止確定に至る迄の図柄変動時間を切り替える変動時間切替手段とを備えたパチンコ遊技機。」
　の点で一致し、次の点において相違する。
　
（相違点１）
　特定図柄出現確率設定手段により出現確率を設定する対象が、本願補正発明では「普通図柄表示装置」であるのに対し、引用発明では「特別図柄表示装置」であり、また、変動時間切替手段により図柄変動時間を切り替える対象が、本願補正発明では「特別図柄表示装置」であるのに対し、引用発明では「普通図柄表示装置」である点。
　
（相違点２）
　本願補正発明で制御手段は、「特定図柄出現確率設定手段により設定される出現確率が高く設定されたことに起因して前記変動時間切替手段による図柄変動時間を短い状態に切り替え制御」しているのに対し、引用発明の遊技制御装置では、出現確率を高く設定することと、図柄変動時間を短い状態に切り替え制御することとの関連は明確でない点。
　
４．当審の判断
　
　上記相違点１乃至２について検討する。
　
　パチンコ遊技機に設けられる普通図柄表示装置、及び、特別図柄表示装置のいずれの図柄表示装置についてみても、その特定図柄の出現確率を設定すること、及び、図柄変動時間を切り替えることは、それぞれ従来より適宜行われている周知の技術にすぎない（原査定の拒絶の理由に引用された特開平９―６６１４０号公報にも、普通図柄表示装置について特定図柄の出現確率を可変制御すること（第【００４９】段落）、及び、特別図柄表示装置について図柄変動時間を可変制御すること（第【００３１】段落）について記載されている）。
　
　そして、普通図柄表示装置について出現確率を高く設定する場合と、特別図柄表示装置について図柄変動時間を短い状態に切り替え制御する場合とを関連させることについても、従来より周知の事項にすぎない。例えば、特開平７−１８５０８１号公報には、「可変表示装置（特別図柄表示装置）」の図柄変動時間を短い状態に切り換え制御する条件として「特図、普図の両方の表示装置を備えた遊技機においては、普図の確率変動中に上記のような制御を行なってもよし・・・」（第２５欄第４２−４７行）と記載されており、また、特開平５−１１５５９４号公報には、「入賞記憶数が「１」以上の場合には、特別可変表示装置が可変開始されてから停止制御に移行するまでの基本時間を短縮する短縮モードとなる。なお、基本時間を短縮モードにするための条件として、普通可変表示装置が確率向上状態であることを条件に加えてもよい。すなわち、確率向上時にのみ変動時間が短縮されるようにしてもよい。」（第２０欄第３−９行）と記載されている。
　したがって、引用発明について、特定図柄出現確率設定手段により「普通図柄表示装置」の出現確率を設定し、変動時間切替手段により「特別図柄表示装置」の図柄変動時間を切り替えるよう構成するとともに、両者の制御を関連させて、普通図柄表示装置において出現確率が高く設定される場合に、特別図柄表示装置における図柄変動時間を短い状態に切り替え制御することは、当業者が周知技術に基づいて設計的に為し得たことにすぎない。
　
　ところで、本願補正発明を特定している「起因して」という事項について、本願出願当初の明細書の発明の詳細な説明を参照すれば、「特定図柄出現確率設定手段により設定される出現確率が高く設定された場合には前記変動時間切替手段による図柄変動時間を短い状態に切り替え制御する」（第【００１０】段落）、「普通図柄表示装置６０が最高確率に移行している状態の時には特別図柄表示装置５０は変動時間短縮モードの状態に移行する」（第【００８０】段落）、「但し、普通図柄表示装置６０の係る抽選確率が高確率時、特別図柄表示装置５０は変動時間短縮モード時とな（る）」（第【００８４】段落）と記載されており、さらに、具体的な実施例の構成として、「条件装置が次の５種類の特定図柄「３、３、３」・・・の場合には、その条件装置の作動停止から次の作動開始までの間、普通図柄表示装置６０に係る抽選確率が最高確率へ移行し、特別図柄表示装置５０が変動時間短縮モードへ移行する。」（第【００８８】段落）、「特別図柄表示装置５０が図柄変動を停止した時の各図柄５０Ａ、５０Ｂ、５０Ｃが「３、３、３」・・・のいずれかの特定図柄で一致した時（Ｓ３９、「ＹＥＳ」）には、普通図柄表示装置６０は最高確率の抽選確率に移行し、制御図柄表示装置５０は変動時間短縮モードに移行（する）」（第【００９１】段落）ものが挙げられている。
　してみると、本願補正発明は、特別図柄表示装置において「大当たり」が特定の図柄（「確変図柄」）で発生した場合に、普通図柄表示装置の出現確率を高く設定し、（同時に）特別図柄表示装置の図柄変動時間を短縮するという構成（実施例）を包含した発明であるから（また、それ以外の具体的な構成（実施例）は挙げられていないのであるから）、審判請求書の請求の理由における「「大当たり」に関わらず、他の条件・・・の成立により普通図柄表示装置における所定の表示態様が出現する確率を切り替えして前記特典を与える構成ともできます・・・」という出願人の主張を採用して、本願補正発明の進歩性を肯定することはできない。なお、「大当たり」が特定の図柄により発生した場合に、普通図柄表示装置の出現確率を高く設定し、同時に、特別図柄表示装置の図柄変動時間を短縮することは、周知技術にすぎない（例えば、特開平８−３８７０２号公報には、「確変図柄」で停止した場合に普通図柄表示装置が高確率に確率変動すること（第５欄第３９行−第６欄第２０行参照）、及び、高確率に変動された場合に時短制御されること、特別図柄のみが短縮制御されること（第１欄第４３行−第２欄第６行参照）が説明されている）。
　
　そして、本願補正発明の作用効果も、引用発明及び周知技術から当業者が予測できる範囲のものである。
　したがって、本願補正発明は、引用発明、及び、周知技術に基づいて、当業者が容易に発明をすることができたものであるから、特許法第２９条第２項の規定により特許出願の際独立して特許を受けることができないものである。
　
５．むすび
　
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
　
三．本願発明について
　
１．本願発明
　
　平成１３年４月１０日付けの手続補正は上記のとおり却下されたので、本願の請求項１乃至５に係る発明は、平成１２年１１月２９日付け手続補正書の特許請求の範囲の請求項１乃至５に記載された事項により特定されるとおりのものであるところ、その請求項１に係る発明（以下、本願発明という。）は以下のとおりのものである。
　
（本願発明）
「複数の図柄の組合せにより遊技者に所定の利益を付与する特別図柄表示装置と単一の図柄の表示態様により遊技者に所定の利益を付与する普通図柄表示装置とを有し、普通図柄表示装置における所定の表示態様の図柄の出現確率を設定する特定図柄出現確率設定手段と、特別図柄表示装置における各図柄の変動開始から変動の停止確定に至る迄の図柄変動時間を切り替える変動時間切替手段と、前記特定図柄出現確率設定手段により設定される出現確率が高く設定された場合には前記変動時間切替手段による図柄変動時間を短い状態に切り替え制御する制御手段とを備えたことを特徴とするパチンコ遊技機。」
　
２．引用例に記載された発明
　
　原査定の拒絶の理由に引用された引用例、及び、その記載事項は、前記「二．２．」に記載したとおりである。
　
３．対比・判断
　
　本願発明は、本願補正発明から前記「二．１．」で検討した（ア）、（イ）、（ウ）の限定を省いたものである。
　そうすると、本願発明の構成要件を全て含み、さらに他の構成要件を付加したものに相当する本願補正発明が、前記「二．４．」に記載したとおり、第１引用例に記載された発明及び上記各周知技術に基づいて、当業者が容易に発明をすることができたものであるから、本願発明も、同様の理由により、第１引用例に記載された発明及び上記各周知技術に基づいて、当業者が容易に発明をすることができたものである。
　
４．むすび
　
　以上のとおり、本願発明は、第１引用例に記載された発明及び上記各周知技術に基づいて、当業者が容易に発明をすることができたものであるから、特許法第２９条第２項の規定により特許を受けることができない。
　よって、結論のとおり審決する。